(57)【要約】      （修正有）【課題】空間を占有せずに且つ低コストにペットの動作を制限可能な動物拘束具を提供する。【解決手段】内部に動物を収容可能な空間を有する本体１０と、本体１０の前後方向一端部に設けられ、収容された動物の頭部を露出するために前記空間と連通する開口１２と、本体１０の前後方向一端部から本体１０の前後方向他端部にかけて延在するように本体１０の左側面に設けられ、収容された動物の左半身の二肢のうちのいずれかを選択的に露出するために開閉自在に前記空間と連通するスリット４０ａおよびファスナ４２ａと、本体１０の前後方向一端部から本体１０の前後方向他端部にかけて延在するように本体１０の右側面に設けられ、収容された動物の右半身の二肢のうちのいずれかを選択的に露出するために開閉自在に前記空間と連通するスリットおよびファスナと、を備えた。【選択図】図１
0003203750.tif 000002
【実用新案登録請求の範囲】
【請求項１】
内部に動物を収容可能な空間を有する本体と、
前記本体の前後方向一端部に設けられ、収容された動物の頭部を露出するために前記空間と連通する頭部露出口と、
前記本体の前後方向一端部から前記本体の前後方向他端部にかけて延在するように前記本体の左側面に設けられ、前記収容された動物の左半身の二肢のうちのいずれかを選択的に露出するために開閉自在に前記空間と連通する左肢露出口と、
前記本体の前後方向一端部から前記本体の前後方向他端部にかけて延在するように前記本体の右側面に設けられ、前記収容された動物の右半身の二肢のうちのいずれかを選択的に露出するために開閉自在に前記空間と連通する右肢露出口と、
を備えることを特徴とする動物拘束具。
【請求項２】
前記左肢露出口および前記右肢露出口は、それぞれ前記前後方向に延在する第１のスリットとして形成されており、
前記第１のスリットには、前記収容された動物の二肢のうちのいずれかを選択的に露出するために、該スリットの開口長さを調節するための第１の留め具が設けられている
ことを特徴とする請求項１記載の動物拘束具。
【請求項３】
前記頭部露出口から前記本体の他端部にかけて該本体に第２のスリットが形成されており、
前記第２のスリットには、前記頭部露出口の開口径を拡径するために、該スリットの開口長さを調節するための第２の留め具が設けられている
ことを特徴とする請求項１または請求項２記載の動物拘束具。
【考案の詳細な説明】
【技術分野】
【０００１】
本考案は、動物、特に猫や小型犬といったペットを拘束する動物拘束具に関する。
【背景技術】
【０００２】
現在、猫や小型犬といったペットを飼育することが広く普及しており、家族の一員として共に生活している家庭も非常に多い。ペットを飼育するに際しては、健康状態の維持を目的として耳掃除や爪切り、点眼等の世話を行う必要があり、このような世話を行う場合、必ずしもペットが大人しく受け入れるとは限らない。世話を行う者が飼い主であっても噛み付いたり、暴れたりすることがあり、飼い主ばかりかペット自身も怪我をする恐れがある。
【０００３】
こうしたペットの暴れを抑制するために、下記特許文献１に示されるような、基台に立設した枠体の縦格子に、半割り円弧状の首拘束部を設けた上下一対の首拘束部材を対向させて、上下にスライド自在に取り付け、各首拘束部材を所定の高さ位置で係止可能とするペットの拘束装置が知られている。この拘束装置により、対向する首拘束部の間にペットの首を嵌め込んで、その間隔をペットの首の太さに合わせて係止し、ペットが暴れたり、噛みついたりしないように、その首部を拘束できるようにしている。
【先行技術文献】
【特許文献】
【０００４】
【特許文献１】特開２００２−０９５３７４号公報
【考案の概要】
【考案が解決しようとする課題】
【０００５】
しかしながら、上述したペットの拘束装置は、基台や枠体等を有する比較的大きい構造物であり、ペットに美容や医療等を施すペット美容院や獣医院において用いることを想定したものである。したがって、個人で所有するには空間を占有するばかりかコストが掛かるという問題があった。
【０００６】
そこで、本考案はこのような問題に鑑みてなされたものであり、その目的とするところは、空間を占有せずに且つ低コストにペットの動作を制限可能な動物拘束具を提供することにある。
【課題を解決するための手段】
【０００７】
上記課題を解決するために、本考案の一態様は、内部に動物を収容可能な空間を有する本体と、前記本体の前後方向一端部に設けられ、収容された動物の頭部を露出するために前記空間と連通する頭部露出口と、前記本体の前後方向一端部から前記本体の前後方向他端部にかけて延在するように前記本体の左側面に設けられ、前記収容された動物の左半身の二肢のうちのいずれかを選択的に露出するために開閉自在に前記空間と連通する左肢露出口と、前記本体の前後方向一端部から前記本体の前後方向他端部にかけて延在するように前記本体の右側面に設けられ、前記収容された動物の右半身の二肢のうちのいずれかを選択的に露出するために開閉自在に前記空間と連通する右肢露出口と、を備えることを特徴とする。
【考案の効果】
【０００８】
本考案によれば、空間を占有せずに且つ低コストにペットの動作を制限することができる。なお、本考案のその他の効果については、以下の考案を実施するための形態の項でも説明する。
【図面の簡単な説明】
【０００９】
【図１】本実施の形態に係る動物拘束具を示す平面図である。
【図２】動物拘束具を展開した状態を示す平面図である。
【図３】動物拘束具によりペットを拘束した状態を示す模式図である。
【図４】ペットを拘束した状態において、動物拘束具から前足を露出させた状態を示す模式図である。
【図５】ペットを拘束した状態において、動物拘束具から後足を露出させた状態を示す模式図である。
【考案を実施するための形態】
【００１０】
以下、本考案の実施の形態について図面を参照しつつ説明する。なお、本明細書及び図面において、実質的に同一の機能構成を有する構成要素については、同一の符号を付することにより重複説明を省略する。
【００１１】
＜構成＞
図１に示されるように、本実施の形態に係る動物拘束具１は、その本体１０が床等に載置した状態（平置き状態）で長方の略半楕円形状をなしており、その内部にペットを収容することができる空間を有する袋状に形成されている。本体１０は、ペットが暴れたとしても容易に破れることのない可撓性を有する素材で構成することが好ましく、このような素材としては、例えば合成皮革や人工皮革が挙げられる。なお、説明上、平置き状態で本体１０における略直線状に形成された側を背側、背側に対向して曲線状に湾曲して形成された側を腹側と称して以後説明を行う。
【００１２】
本体１０の長手方向（前後方向）一端部には、本体１０内の空間に連通する頭部開口１２が形成されている。頭部開口１２は、収容したペットの頭部を露出させるためのものであり、その縁部がペットの顔や首に接するため、負荷を軽減する目的で本体１０と異なる柔らかい素材、例えば布帛や伸縮性を有するニット素材等により縁取られることが好ましい。この頭部開口１２の径は適宜であるが、後述するファスナ２２によりその開口径を調節できるため、猫等の比較的小さいペットの首の径に合わせることが好ましい。なお、説明上、本体１０の長手方向において頭部開口１２が形成されている側を前方側、その逆側を後方側と称して以後説明を行う。
【００１３】
本体１０の腹側には、頭部開口１２の腹側縁部から本体１０の他端部にかけての曲線に沿って腹側開口としてのスリット２０が形成されおり、このスリット２０を開閉およびその開口長さを調節するためにスリット２０上にファスナ２２が設けられている。このファスナ２２は、２つの前方側スライダ２２２，後方側スライダ２２４が尻合わせで取り付けられ、逆開きを可能としたダブルスライドファスナであり、前方側スライダ２２２を移動（開閉）させることで前述したとおり頭部開口１２の開口径を調節することができる。よってペットの首周りの大きさに応じてその頭部を露出させることができ、また、ファスナ２２の前方側スライダ２２２を後方側に移動させてスリット２０を大きく開放する、または後方側スライダ２２４を前方側に移動させてスリット２０を大きく開放することでペットを動物拘束具１内に収容することができる。なお、前方側スライダ２２２は、使用者が把持する板状の操作部を操作することで移動し、それ以外、例えばペットの暴れ等で容易に移動しないものを用いることが好ましい。
【００１４】
ファスナ２２の後方側端部は、本体１０の後方側端部まで達している。よって前方側スライダ２２２と後方側スライダ２２４とを後方側端部まで移動させることにより、ファスナ２２を全開状態とすることにより、ファスナ２２を構成する務歯が連設されたテープ状の基部（不図示）を、後方側端部を除き分離させることができる。これにより図２に示されるように、スリット２０が全開状態となり、中心線Ａを境に左右側面１０ａ，１０ｂが対称な略楕円形状をなす１枚のシート状物として動物拘束具１を展開することができる。したがって、略楕円形状の１枚のシートを、その縁を揃えるように折り曲げ、頭部開口１２に相当する箇所以外の縁部にファスナ２２を取り付けることで動物拘束具１を容易に作製することができる。
【００１５】
なお、ペットを収容してファスナ２２を閉めた際に、その体毛や皮膚、四肢等をファスナ２２の務歯間に噛み込まないよう、噛み込み防止シート３０を設けることが好ましい。本実施の形態において噛み込み防止シート３０は、図２に示されるように本体１０の一方の縁部に取付けられた２つに分かれたファスナ２２の基部のうちの一方の内側に、本体１０の縁部から突出するよう取り付けられている。このように取り付けられることにより、噛み込み防止シート３０上にファスナ２２の務歯が重なるように位置するため、ペットの体毛や皮膚、四肢等をファスナ２２の務歯間に噛み込むことはない。なお、図２においては、ファスナ２２の両端部近傍には噛み込み防止シート３０が設けられていないが、両端部にまで噛み込み防止シート３０が及ぶように取り付けてもよいことは言うまでもない。
【００１６】
また、本体１０の左右側面１０ａ，１０ｂそれぞれの略中央部には、本体１０の長手方向一端部から長手方向他端部にかけて延在するようにスリット４０ａ，４０ｂが形成されており、これらのスリットを開閉可能とするためにスリット４０ａ，４０ｂ上にファスナ４２ａ，４２ｂが設けられている。なお、図１においては本体１０の左側面に設けられたファスナ４２ａが示されており、これと対向するよう右側面の同位置に同じくファスナ４２ｂが設けられている。
【００１７】
ファスナ４２ａが取り付けられているスリット４０ａは本体１０の空間と連通しており、ファスナ４２ａは収容されたペットの左半身の二肢のうちのいずれかを当該スリット４０ａを介して選択的に露出するためにこれを開閉するものである。具体的には、ファスナ４２ａは、２つの前方側スライダ４２２ａ、後方側スライダ４２４ａが尻合わせで取り付けられ、逆開きを可能としたダブルスライドファスナである。即ち、前方側スライダ４２２ａを後方へ移動させることにより、ペットの左半身の前足のみをその太さに応じて露出させることができ、一方で後方側スライダ４２４ａを前方へ移動させることにより、ペットの左半身の後足をその太さに応じて露出させることができる。なお、前方側スライダ４２２ａ，４２２ｂ，後方側スライダ４２４ａ，４２４ｂは、使用者が把持する板状の操作部を操作することで移動し、それ以外、例えばペットの暴れ等で容易に移動しないものを用いることが好ましい。
【００１８】
また、ファスナ４２ａは、本体１０の背側との距離が頭部開口１２に接近するに従い短くなるよう傾斜して設けられている。このようにファスナ４２ａを傾斜して設けることにより、本体１０内にペットを収容してその頭部を頭部開口１２から露出させた基本位置において、ペットの身体的構造に即して負荷なくペットの足を露出させることができる。なお、ファスナ４２ａにおいても噛み込み防止シート３０を設けるようにすることが好ましい。ファスナ４２ｂは、ファスナ４２ａと同一の構成を有するものであるため、その説明は省略する。
【００１９】
＜使用方法＞
次に、動物拘束具１の使用方法について、その詳細を説明する。先ず、図１に示されるような全てのファスナが閉じられている平置き状態において、ファスナ２２の前方側スライダ２２２を後方側に適度な分量移動させる。この移動量は適宜であるが、頭部開口１２がペットの頭部が通るに十分な余裕を持った開口径とすることが好ましい。このとき、後方側スライダ２２４を前方側へ移動させ、ペットを本体１内へ収容すると共に、その頭部を頭部開口１２から露出させて前方側スライダ２２２をペットの首に当接するまで前方側へ移動させてペットの頭部が抜けないよう固定する。
【００２０】
その後、尻尾や腹部の体毛をファスナ２２に噛み込まないよう、噛み込み防止シート３０を体の上に位置させながら後方側スライダ２２４を後方側端部へ移動させる。これにより、図３に示されるようにペット（ここでは猫）の頭部５０のみを露出させて本体１０内部にペットを収容した収容状態とすることができる。この状態であれば、四肢が不自由であるため、ペットが暴れたとしても使用者が怪我をすることなく、ペット自身を安全に拘束することができる。また、頭部のみが露出しているため、例えば、薬の投与や点眼、耳掃除等を四肢が自由な状態と比較して安全に実行することができる。なお、収容状態とする手法はこの他にも、図２に示されるような展開状態にある動物拘束具１をペットの背側から被せ、ファスナ２２を閉じるようにする手法等が挙げられる。
【００２１】
また、爪を切る等の四肢に対して施術を行う場合には、対象となる足のファスナ４２ａ，４２ｂを開放することで容易に且つ安全に施術を行うことができる。例えば、左前足のみの爪を切る場合には、図４に示されるようにファスナ４２ａの前方側スライダ４２２ａを後方側へ適度な分量移動させ、左前足５２のみをそこから引き出して再度左前足５２に当接するまで前方側スライダ４２２ａを前方側へ移動させればよい。また、左後足のみの爪を切る場合には、図５に示されるようにファスナ４２ａの後方側スライダ４２４ａを前方側へ適度な分量移動させ、左後足５４のみをそこから引き出して再度左後足５４に当接するまで後方側スライダ４２４ａを後方側へ移動させればよい。このように、四肢のいずれかのみを引き出すようにすれば、引き出した足のみの爪を切ることができ、他の足は自由を制限されているため、ペットの動作を制限することができる。
【００２２】
本実施の形態によれば、ペットを容易に且つ安全に拘束することができるため、耳掃除や薬の投与、目薬の点眼、爪切り等の世話を使用者が安全に実行することができる。更に、１枚のシート状物からなる本体１の要所にファスナ２２，４２ａ，４２ｂを取り付けることにより動物拘束具１を作製することができるため、そのコストは極めて安価である。また、コンパクトに折り畳むことが可能であるため、空間を占有することもない。また、スリット４０ａ，４０ｂを本体１０における各側面の略中央に設けているため、ペットが収容状態にある場合に動物拘束具１の背側にペットの腹側が位置したとしても、ペットに負荷を与えることなく、ペットの四肢の全てまたは選択的に露出させることができる。
【００２３】
なお、本実施の形態においては、スリット２０，４０ａ，４０ｂにそれぞれ線ファスナであるファスナ２２，４２ａ，４２ｂを設けてその開口を開閉自在にしているが、このような線ファスナに代わり、点ファスナや面ファスナを設けるようにしてもよい。さらに、ファスナ２０，４２ａ，４２ｂは、２つのスライダが尻合わせで取り付けられたダブルスライドファスナであると説明したが、これに限定されるものではなく、２つのスライダが頭合わせのものを用いてもよい。また、ファスナ２０については、ペットの収容作業の作業性を考慮しないのであれば、１つのスライダが取り付けられたシングルスライドファスナを用いてもよい。
【００２４】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【００２５】
なお、実用新案登録請求の範囲に記載の動物拘束具は、例えば、前述の実施の形態における動物拘束具１であり、本体は例えば本体１０である。頭部露出口は例えば頭部開口１２であり、左肢露出口および第１のスリットは例えばスリット４０ａ，ファスナ４２ａである。右肢露出口および第１のスリットは例えばスリット４０ｂ，ファスナ４２ｂであり、第２のスリットは例えばスリット２０である。第１の留め具は例えばファスナ４２ａ，４２ｂおよび前方側スライダ４２２ａ，４２２ｂ，後方側スライダ４２４ａ，４２４ｂであり、第２の留め具は例えばファスナ２２および前方側スライダ２２２，後方側スライダ２２４である。
【符号の説明】
【００２６】
１  動物拘束具
１０  本体
１２  頭部開口
２０，４０ａ，４０ｂ  スリット
２２，４２ａ，４２ｂ  ファスナ
２２２，４２２ａ，４２２ｂ  前方側スライダ
２２４，４２４ａ，４２４ｂ  後方側スライダ
３０  噛み込み防止シート
５０  頭部
【図１】
0003203750.tif 000003
【図２】
0003203750.tif 000004
【図３】
0003203750.tif 000005
【図４】
0003203750.tif 000006
【図５】
0003203750.tif 000007